(57)【要約】【課題】  ブーツを保管する時に、内部を清潔に保ち、ブーツを傷めず型崩れを防止するもので、あらゆるサイズ・材質のブーツに適用でき、軽量で耐久性に優れ、未使用時には保管場所がわずかですむブーツキーパーを提供する。【解決手段】  ポリオレフィンやポリ塩化ビニルなどの合成樹脂で多孔（２）構造物を形成する。このシート状の多孔（２）構造物を円筒状に巻きブーツ内に挿入することでブーツの形態を保持したまま保管できる。また汚れたときは、簡単に洗浄・消毒できる。【選択図】  図１
2008188381.tif 000002
【特許請求の範囲】
【請求項１】
ポリオレフィン、ポリ塩化ビニルおよびポリエステルからなる群より選ばれた合成樹脂を多孔性に成形されたシートまたは円筒状の形状であることを特徴とするブーツキーパー。
【請求項２】
開孔率が５０〜９０％の多孔性成形体を特徴とする請求項１記載のブーツキーパー。
【請求項３】
形状は多孔性のシートであって円筒状に変形が可能で、ブーツ本体の型崩れの防止に
十分な形状復元力を有することを特徴とする請求項１または２記載のブーツキーパー。
【発明の詳細な説明】
【技術分野】
【０００１】
本発明は、ブーツを保管する時、操作が簡単で内部を清潔に保ち耐久性に優れ、ブーツ本体の型崩れを防止するブーツキーパーに関するものである。
【背景技術】
【０００２】
従来のブーツキーパーには、棒状や板状の形状のものをブーツ内に挿入し使用するものや、棒状スタンドとクリップ等を使ってブーツの一部を挟み使用するものがある。
【特許文献１】特開２００５−００６９１５
【発明の開示】
【発明が解決しようとする課題】
【０００３】
従来のブーツキーパーは嵩張るため、未使用時にかなりの保管場所が必要である。
【０００４】
従来の棒状や板状の形態のブーツキーパーは、ブーツ内部の空気の流れが停滞し不潔になるため、乾燥剤や消臭剤が必要になる。また、汚れた時は簡単に洗浄・消毒できない。
【０００５】
クリップ等を使ってブーツの一部を挟み使用するブーツスタンドは、ブーツ表面を傷める可能性があり、ブーツの材質や厚みによっては適用し難い場合がある。
【０００６】
また、保管スペースの都合で、斜めや寝かした状態でブーツを保管したい場合には使用できない。
【０００７】
また、従来のブーツキーパーは、製造工程に手間がかかり製造コストも高いものが多い。
【０００８】
本発明のブーツキーパーはこの様な問題点を解決するもので、ブーツ内部を清潔に保ち、ブーツ表面を傷めず、あらゆるサイズ・材質のブーツに適用できるもので、軽量で耐久性に優れ、未使用時にはわずかなスペースで保管ができ、製造工程が少なく製造コストも従来のものに比べて割安である。
【課題を解決するための手段】
【０００９】
本発明のブーツキーパーは、ポリオレフィンやポリ塩化ビニルなどの合成樹脂を使用し、図１のようなシート状の多孔（２）構造物を作成する。
【００１０】
図１に示されるように、本発明のブーツキーパーは、多孔（２）構造を一体成形で作成することで、ブーツ内挿入時の引っ掛かりを無くす。
【００１１】
本発明において開孔率は５０〜９０％であるのがより好ましい。開孔率５０％以下だとブーツ内、特に先端部の空気の流動性が阻害され乾燥し難く、９０％以上だと剛性が下がりブーツ本体の形状を保ったまま維持することが困難になる。
【発明の効果】
【００１２】
本発明のブーツキーパーは多孔（２）構造のため、ブーツ内に装填後はブーツの先端内部まで開放状態が保たれ、乾燥し易く清潔に保たれる。
【００１３】
また、多孔（２）構造のため、ブーツキーパーとブーツ本体内面の接触面積はわずかで、乾燥し易く清潔に保たれる。
【００１４】
本発明のブーツキーパーはポリオレフィンやポリ塩化ビニルなどの合成樹脂を一体成形することで、洗浄・消毒が簡単にでき、製造コストが安くできる。
【００１５】
挿入後は、ブーツキーパーの材質の形状復元力で拡張し、ブーツ本体を内側から穏やかに押し広げるため、必要以上の力が働かず、ブーツ本来の形態を保持したまま保管できる。
【００１６】
本発明のブーツキーパーは、ブーツ本体を挟んだり引っ張ったりする力が加わらないので、ブーツ本体を傷つけることがない。
【００１７】
挿入後は、材質の形状復元力で拡張し押し広げるため、サイズや材質に関係なくあらゆるブーツに対応できる。
【００１８】
形状復元力はブーツ本体の型崩れを防止することに十分であればよく、ブーツの材質・壁厚に応じて、ブーツキーパーの材質・開孔率あるいは厚さを適宜選定することによって決めることができる。例えば、曲げ弾性率が４００〜７００MPaの合成樹脂を使用する場合、開孔率６０％厚さ1.5~2.0mmの低密度ポリエチレン製のブーツキーパーでは、牛皮製の硬めの素材のブーツにもスエードのような柔らかい素材のブーツにも使用することができる。
【００１９】
操作方法は、ブーツキーパーを円筒状に巻き、底辺（４）がブーツ本体の底部分に着くまで挿入するだけなので操作が簡単である。  
【００２０】
また、保管場所の都合でブーツ本体を斜めや寝かせた状態で使用しても、ブーツ本体の形態を崩すことなく保管できる。
【００２１】
本発明のブーツキーパーは多孔（２）構造のシート状のため、未使用時には壁面などに引っ掛けたりすることで保管場所がわずかですむ。
【００２２】
本発明のブーツキーパーは軽量であるため、従来のものに比べブーツ本体を含めた全体の重力の中心が下方に存在し、ブーツを立てた状態での安定性に優れている。
【発明を実施するための最良の形態】
【００２３】
図１に示されるように、ポリエチレンまたはポリプロピレン等のポリオレフィンを使用し網目状の多孔（２）構造とその周囲を同質の材料で縁（３）を形成する。
【００２４】
本発明において、ポリオレフィンの他ポリ塩化ビニルやポリエステルを使用することができる。
【００２５】
巾（６）は、ブーツ本体の開口部周囲の長さよりやゝ長めに、高さ（７）はブーツ本体の高さを基本とするが、用途により随意とする。
【００２６】
図１に示されるように、上辺（５）は使用時床面とほぼ平行になる様に曲線で形成し、ブーツ内に挿入する時操作しやすい様に、角の部分は丸みをつけて形成する。  
【００２７】
図４は別の実施例で、多孔（２）構造を円筒状に成形したものである。
【産業上の利用可能性】
【００２８】
個人で使用する以外に、多数の人が集まるホテルや結婚式場のクローク、旅館や飲食店などでのブーツの一時預かり時に使用する。
【００２９】
一時預かり等不特定多数の人のブーツに使用する場合、本発明のブーツキーパーは使用の都度アルコール等の消毒が可能である。
【００３０】
図３に示されるように、ブーツ本体より突出するように高くすることや、着色することで装飾品として使用する。
【００３１】
また、図３で見られる突出部同士はクリップなどで簡単に連結できる。
【００３２】
このクリップや網目部分には識別札や目印など簡単に取り付けることが出来る。
【００３３】
本発明のブーツキーパーは軽量で、未使用時にはわずかなスペースしか必要としないため、輸送が容易で保管場所も小スペースですむ。
【図面の簡単な説明】
【００３４】
【図１】ブーツキーパー本体
【図２】使用時、ブーツの一部を破断した斜視図
【図３】装飾用として使用した実施例  斜視図
【図４】円筒状に成形した実施例  斜視図
【符号の説明】
【００３５】
１  ブーツキーパー本体  
２  孔
３  縁
４  底辺
５  上辺
６  巾方向
７  高さ方向
８  ブーツ
【図１】
2008188381.tif 000003
【図２】
2008188381.tif 000004
【図３】
2008188381.tif 000005
【図４】
2008188381.tif 000006
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
ポリオレフィン、ポリ塩化ビニルおよびポリエステルからなる群より選ばれた合成樹脂を多孔性に成形されたシートであって、円筒状に変形が可能で、ブーツの内壁を外に向けて押し拡げ、ブーツ本体の型崩れの防止に十分な形状復元力を有することを特徴とするブーツキーパー。
【請求項２】
前記多孔性に成形されたシートは、網目状の多孔構造とその周囲を同質の材料で形成された縁とからなることを特徴とする請求項１記載のブーツキーパー。